【手続補正書】
【提出日】平成25年8月30日(2013.8.30)
【手続補正１】
【補正対象書類名】特許請求の範囲
【補正対象項目名】全文
【補正方法】変更
【補正の内容】
【特許請求の範囲】
【請求項１】
通信ネットワークのバス上にバス制御信号と電力信号とを供給するのに用いる通信ネットワークデバイスであって、
筺体と、
前記筺体内に配置したバスコントローラで、バスに接続し、前記バスを介してバス依拠通信信号を供給するコントローラ入／出力線路を含むバスコントローラと、
筺体内に配置したバス電源で、前記バス用の電力信号を生成するバス電源と、
筺体内の出力端で、バスコントローラ入／出力線路と電力信号に対する接続路を提供する出力端とを備える、通信ネットワークデバイス。
【請求項２】
前記出力端は、前記筺体を挿通して配置した第１の端子で、バスコントローラ入／出力線路へ接続した第１の端子と、前記筺体を挿通して配置した第２の端子で、前記バス電源から電力信号を受け取るよう接続した第２の端子とを含む、請求項１に記載の通信ネットワークデバイス。
【請求項３】
前記筺体内に配置したバス・インピーダンス・デバイスをさらに含む、請求項１又は請求項２に記載の通信ネットワークデバイス。
【請求項４】
前記バス電源と前記出力端との間の前記筺体内に配置した複式化論理和回路をさらに含む、請求項１に記載の通信ネットワークデバイス。
【請求項５】
前記筺体内に配置した診断ユニットで、バス電源へ接続され、バス電源に対し１以上の診断動作を遂行する診断ユニットをさらに含む、請求項１〜請求項４の何れか1項に記載の通信ネットワークデバイス。
【請求項６】
前記筺体外部に配置した端子ブロックをさらに含んでおり、この端子ブロックが前記筺体内の出力端へ接続する端子ブロック入力端と、前記バスへの接続用の端子ブロック出力端とを含む、請求項１〜請求項５の何れか1項に記載の通信ネットワークデバイス。
【請求項７】
前記バス・インピーダンス・デバイスは受動インダクタネットワークを含む、請求項３に記載の通信ネットワークデバイス。
【請求項８】
前記バス・インピーダンス・デバイスはジャイレータ回路を含む、請求項３又は請求項７に記載の通信ネットワークデバイス。
【請求項９】
前記出力端は、前記筺体を挿通して配置した第１の端子で、バスコントローラ入／出力線路に接続した第１の端子と、前記筺体を挿通して配置した第２の端子で、バス電源から電力信号を受け取るよう接続した第２の端子と、前記筺体を挿通して配置した第３の端子で、バス・インピーダンス・デバイスの第１の側に接続した第３の端子と、前記筺体を挿通して配置した第４の端子で、バス・インピーダンス・デバイスの第２の側に接続した第４の端子とを含む、請求項３、請求項７、請求項８の何れか１項に記載の通信ネットワークデバイス。
【請求項１０】
前記診断ユニットは、電源に結合されて電流欠陥と電圧欠陥の一方を検出するマイクロコントローラを含んでおり、前記診断ユニットは電流欠陥あるいは電圧欠陥が検出されたときに電源による電力信号出力が出力端に達するのを遮断するよう結合したスイッチをさらに含む、請求項５に記載の通信ネットワークデバイス。
【請求項１１】
前記筺体内に配置され、前記バスコントローラと前記出力端との間に結合した媒体取着ユニットをさらに含む、請求項５又は請求項１０に記載の通信ネットワークデバイス。
【請求項１２】
前記電源は前記媒体取着ユニットに給電する第２の電力信号を生成するとともに、前記筺体内の媒体取着ユニットへ前記第２の電力信号を供給する、請求項５、請求項１０、請求項１１の何れか１項に記載の通信ネットワークデバイス。
【請求項１３】
前記媒体取着ユニットと前記バスコントローラとの間に配置した電気絶縁ユニットをさらに含む、請求項５、請求項１０〜１２の何れか1項に記載の通信ネットワークデバイス。
【請求項１４】
第２の筺体と、前記第２の筺体内に配置した第２のバスコントローラで、前記バスに接続して前記バス上でバス依拠通信信号を供給するもう一つのバスコントローラ入／出力線路を含む第２のバスコントローラと、前記第２の筺体内に配置した第２のバス電源で、前記バス用の第２の電力信号を生成する第２のバス電源と、前記第２の筺体内の第２の出力端で、第２のバスコントローラ入／出力線路と第２の電力信号とへの接続路を提供する第２の出力端とをさらに含み、端子ブロックがさらに前記第２の筺体内の前記第２の出力端へ接続する第２の端子ブロック入力端を含み、前記端子ブロック出力端を前記バス電源あるいは前記第２のバス電源のいずれかから電力信号を受け取るよう接続し、前記バスコントローラ入／出力線路および前記第２のバスコントローラ入／出力線路へ接続した、請求項６に記載の通信ネットワークデバイス。
【請求項１５】
第１の入／出力通信ネットワークの第１の網路バスと第２の入／出力通信ネットワークの第２の網路バスとの間のインタフェースをとるのに用いる通信ネットワークインタフェースデバイスであって、
筺体と、
前記筺体内に配置したバスコントローラで、前記第１の網路バスに接続して第１の網路バス上でバス依拠通信信号を供給する第１のコントローラ入／出力線路を含み、かつ前記第２の網路バスに接続する第２のコントローラ入／出力線路を含み、前記第１の網路バスと前記第２の網路バスとの間のインタフェースデバイスとして作動するバスコントローラと、
前記筺体内に配置したバス電源で、前記第１の網路バスのための電力信号を生成するバス電源と、
前記筺体を挿通して配置した第１の物理的ネットワークインタフェースで、前記第１のバスコントローラ入／出力線路と前記第１の網路バスとの間に電気的接続路を提供する第１の物理的ネットワークインタフェースと、
前記筺体を挿通して配置した第２の物理的ネットワークインタフェースで、前記第２のバスコントローラ入／出力線路と前記第２の網路バスとの間に電気的接続を提供する第２の物理的ネットワークインタフェースとを備える、通信ネットワークデバイス。
【請求項１６】
前記バスコントローラは、前記第２の物理ネットワークインタフェースを介して前記第２の網路バスから電力信号を受け取り、前記バスコントローラに給電する、請求項１５に記載の通信ネットワークデバイス。
【請求項１７】
前記バスコントローラは、絶縁回路により前記バス電源から絶縁した、請求項１〜請求項１６の何れか1項に記載の通信ネットワークデバイス。
【請求項１８】
前記筺体内に配置した診断ユニットをさらに含んでおり、前記診断ユニットはバス電源に接続され、前記バス電源に対し１以上の診断動作を遂行する、請求項１〜請求項１７の何れか1項に記載の通信ネットワークデバイス。
【請求項１９】
前記診断ユニットは、電源に結合され電流欠陥と電圧欠陥のうち一方を検出するマイク
ロコントローラを含み、前記診断ユニットは電流欠陥または電圧欠陥が検出されたときに電源が出力する電力信号が第１の網路バスへ達しないよう遮断すべく結合したスイッチをさらに含む、請求項１８に記載の通信ネットワークデバイス。
【請求項２０】
前記筺体内に配置され、前記バスコントローラと前記第１の物理的ネットワークインタフェースとの間に結合した媒体取着ユニットをさらに含む、請求項１〜請求項１９の何れか1項に記載の通信ネットワークデバイス。
【請求項２１】
前記第２の網路バスが、前記第１の網路バスに結合されたデバイスを用いてプロセス制御ルーチンを実行するプロセスコントローラへバスコントローラを結合する、請求項１〜請求項２０の何れか1項に記載の通信ネットワークデバイス。
【請求項２２】
通信ネットワークのバス上でバス制御信号と給電信号とを供給するのに用いる通信ネットワーク制御システムであって、
１以上の入力端を含み、かつ前記通信ネットワークのバスへ接続する１個の出力端とを含む端子ブロックと、
第１のバス・コントローラ・デバイスで、
第１の筺体と、
前記第１の筺体内に配置した第１のバスコントローラで、端子ブロックの入力端の１つへ接続し、前記端子ブロックを介して前記バスへバス依拠通信信号を供給する入／出力線路を含む第１のバスコントローラと、
前記第１の筺体内に配置した第１のバス電源で、前記バスに対し第１の電力信号を供給し、前記端子ブロックの入力端の１つへ接続し、前記端子ブロックを介してバスへ第１の電力信号を供給する第１のバス電力供給出力端を含む第１のバス電源とを含む第１のバス・コントローラ・デバイスと、
第２のバス・コントローラ・デバイスで、
第２の筺体と、
前記第２の筺体内に配置した第２のバスコントローラで、前記端子ブロックの入力端の１つへ接続し、前記端子ブロックを介してバスへバス依拠通信信号を供給する入／出力線路を含む第２のバスコントローラと、
前記第２の筺体内に配置した第２のバス電源で、前記バスに対し第２の電力信号を供給し、前記端子ブロックの入力端の１つへ接続し、前記端子ブロックを介して前記バスへ第２の電力信号を供給する第２のバス電力供給出力端を含む第２のバス電源とを含む第２のバス・コントローラ・デバイスとを備え、
前記端子ブロックが、前記第１のコントローラ入／出力線路と前記第２のコントローラ入／出力線路とを前記バスへ電気的に結合し、前記第１のバス電力供給出力端と前記第２のバス電力供給出力端とを前記バスへ電気的に結合する、通信ネットワーク制御システム。
【請求項２３】
前記端子ブロックが入力端と出力端を有するバス・インピーダンス・デバイスを含み、前記第１のバス給電出力端と前記第２のバス給電出力端とを前記インピーダンスデバイスの入力端へ結合し、前記インピーダンスデバイスの出力端を前記バスへ結合した、請求項２２に記載の通信ネットワーク制御システム。
【請求項２４】
前記第１のバス・コントローラ・デバイスは、前記第１のバス電源出力端子と前記端子
ブロックの入力端の１つとの間に結合されて前記第１の電力信号を調整する第１のインピーダンスデバイスを含んでおり、前記第２のバス・コントローラ・デバイスは、前記第２のバス電源出力端子と前記端子ブロックの入力端子の１つとの間に結合されて前記第２の電力信号を調整する第２のインピーダンスデバイスを含んでおり、前記端子ブロックが、前記調整された第１と第２の電力信号を併せバスへ接続する、請求項２２又は請求項２３に記載の通信ネットワーク制御システム。
【請求項２５】
前記第１のバス・コントローラ・デバイスは、第１の外部電気接続を介して前記第１のバス電源出力端子と前記端子ブロックの入力端の１つとの間に結合して前記第１の電力信号を調整する第１のインピーダンスデバイスを含んでおり、前記第２のバス・コントローラ・デバイスは、第２の外部電気接続を介して前記第２のバス電源出力端子と前記端子ブロックの入力端の１つとの間に結合して前記第２の電力信号を調整する第２のインピーダンスデバイスを含んでおり、前記端子ブロックが、前記第１のバス給電信号が前記第１のインピーダンスデバイスにより調整されることなく、かつ前記第２のバス給電信号が前記第２のインピーダンスデバイスにより調整されることなく、前記第１のバス電力端子と前記第２のバス電力端子へ接続する第３のインピーダンスデバイスを含む、請求項２２〜請求項２４の何れか1項に記載の通信ネットワーク制御システム。
【請求項２６】
前記インピーダンスデバイスが受動インダクタネットワークを含む、請求項２３〜請求項２５の何れか1項に記載の通信ネットワーク制御システム。